(57)【要約】スパイラルスロット・スタッカは、スタッカーホイール１からシート材料を剥ぎ取るための二つの部分からなるストリッパ２を備えている。ストリッパの二つの部分は可動である。ストリッパの第１の部分２ａは、最後の紙幣１００のみが剥ぎ取られかつ次の紙幣１０１がスタッカーホイール内に残留するように、積み重ねられるべき最後の紙幣１００とともにスタッカーホイールから外方へ移動する。ストリッパの第２の部分２ｂは、この段階でスタッカーホイールとともに回転し、スパイラルスロット・スタッカが次の紙幣積重ね束を集積する準備ができるまで剥取り位置にはロックされない。その間にスタッカーホイールに供給された紙幣は、ストリッパの第２の部分２ｂによってスタッカーホイールから剥ぎ取られ、ストリッパの第１の部分２ａは剥取り位置に復帰する。これによって、スタッカーホイール内にある紙幣にストリッパの第１の部分が衝突するのが防止される。
2005535027.tif 000002
【特許請求の範囲】
【請求項１】
シート材料を収容するための、回転軸の周りに直列的に螺旋状に配置された複数のスロットを備えたスタッカーホイール（１）と、
剥取り位置において、前記スタッカーホイールのスロットから前記シート材料を剥ぎ取るストリッパ（２；２ａ，２ｂ）と、
前記スロットから剥ぎ取られた前記シート材料を積み重ねるための集積棚（４）とを有し、
前記スタッカーホイール（１）の回転中に、前記シート材料（１００）が前記スタッカーホイールのスロットの一つから剥ぎ取られかつ次のスロットのシート材料（１０１）が前記スタッカーホイール内に残留するように、前記ストリッパ（２）の第１の可動部分（２ａ）が前記剥取り位置から外方へ移動可能に構成されてなる、シート材料を積み重ねるためのスパイラルスロット・スタッカにおいて、
前記ストリッパ（２）の第２の可動部分（２ｂ）が、前記剥取り位置にロックされかつ非ロック状態において前記回転するスタッカーホイール（１）とともに移動可能であることを特徴とするスパイラルスロット・スタッカ。
【請求項２】
前記集積棚（４）と前記スタッカーホイール（１）との間に移動せしめられる補助的集積棚（６）を備えてなることを特徴とする請求項１記載のスパイラルスロット・スタッカ。
【請求項３】
前記補助的集積棚（６）と前記集積棚（４）とが同じ高さに移動せしめられかつ櫛歯状に係合するように構成されてなることを特徴とする請求項２記載のスパイラルスロット・スタッカ。
【請求項４】
前記ストリッパ（２）の第２の可動部分（２ｂ）が、前記スタッカーホイール（１）の回転方向と反対方向に移動して前記剥取り位置に復帰するように構成されてなることを特徴とする請求項１から３のいずれか１項記載のスパイラルスロット・スタッカ。
【請求項５】
請求項１から４のいずれか１項記載のスパイラルスロット・スタッカを１個または複数個備えてなる紙幣処理装置。
【請求項６】
シート材料を収容するための、回転軸の周りに直列的に螺旋状に配置された複数のスロットを備えたスタッカーホイール（１）を有するスパイラルスロット・スタッカを用いてシート材料を積み重ねる方法であって、
前記スタッカーホイールの複数のスロットに前記シート材料を供給し、
シート材料積重ね束（５）を形成するために剥取り位置にあるストリッパ（２；２ａ，２ｂ）を用いて、前記スタッカーホイールのスロットから前記シート材料を剥ぎ取り、
前記シートが所定枚数に達したときに、前記所定枚数のシートのうちの最後のシート（１００）が前記スタッカーホイールから剥ぎ取られ、かつ次のスロットのシート材料（１０１）が前記スタッカーホイール内に残留するように、前記スタッカーホイールの回転中に前記ストリッパ（２）の第１の可動部分（２ａ）を前記剥取り位置から外方へ移動させ、前記スパイラルスロット・スタッカに次のシート材料積重ね束を集積する準備をさせ、
前記ストリッパ（２）の第１の可動部分（２ａ）を前記剥取り位置に復帰させる、
諸ステップを有してなるシート材料の積重ね方法において、
前記ストリッパ（２）の第１の可動部分（２ａ）が前記剥取り位置から外方へ移動せしめられるときに、前記ストリッパ（２）の第２の可動部分（２ｂ）を前記剥取り位置から解放して前記スタッカーホイール（１）の回転とともに移動させ、
前記ストリッパ（２）の第２の可動部分（２ｂ）が前記スタッカーホイール（１）とともに回転するときに、該スタッカーホイールの複数のスロットにさらにシートを供給し、
前記スパイラルスロット・スタッカが次のシート材料積重ね束を集積する準備がなされたときに、前記ストリッパ（２）の第２の可動部分（２ｂ）を前記剥取り位置にロックし、
前記ストリッパ（２）の第１の可動部分（２ａ）が前記剥取り位置に復帰する間に、前記ストリッパ（２）の前記ロックされた第２の可動部分（２ｂ）を用いて、前記スロット内の前記シート材料を剥ぎ取る、
諸ステップを含むことを特徴とするシート材料の積重ね方法。
【請求項７】
前記スパイラルスロット・スタッカが次のシート材料積重ね束を集積する準備をするステップが、次のシート材料積重ね束を一時的に上に集積するために、補助的集積棚（６）を前記集積棚（４）の上方に導入し、
前記集積棚（４）から前記シート材料積重ね束（５）を取り除き、
該シート材料積重ね束（５）が前記集積棚（４）から取り除かれた後に、前記一時的に集積されたシート材料積重ね束を備えた前記補助的集積棚（６）と前記集積棚（４）とを同じ高さにする、
諸ステップを含むことを特徴とする請求項６記載の方法。
【請求項８】
前記ストリッパ（２）の第２の可動部分（２ｂ）が前記剥取り位置にロックされる際に、該ストリッパ（２）の第２の可動部分（２ｂ）が前記スタッカーホイール（１）の回転方向と反対方向に復帰せしめられることを特徴とする請求項６または７記載の方法。
【発明の詳細な説明】
【技術分野】
【０００１】
本発明は、特に紙幣処理装置に使用するための、シート材料の積み重ね方法ならびにスパイラルスロット・スタッカに関するものである。
【背景技術】
【０００２】
従来の紙幣処理機においては、一般に紙幣が枚葉されて積み重ねられ、搬送路を利用してセンサ装置を通って案内される。個々の紙幣は、センサ装置の複数のセンサによって検査され、かつ検査結果に応じて最終的な送り先またはスタッカーユニットに供給される。
【０００３】
上記紙幣を検査するために、紙幣を種々の基準によって判定する数個のセンサを設けることができる。したがって、種類の異なる紙幣をそれぞれ所望の枚数からなる複数の単位に積み重ねる数個のスタッカーユニットが用いられる。例えば、もし或る種類の紙幣が１００枚単位で積み重ねられるとすると、スタッカが同じであるために、１００枚の紙幣がスタッカに到着した後に、連続した紙幣の流れを、１００枚の紙幣とそれに続く紙幣とに分離させる必要がある。
【０００４】
これに関して、同じ種類の紙幣に対して２個のスタッカを用いることが特許文献１から知られている。もし動作中の第１のスタッカ内に１００枚の紙幣が配置されたとすると、続く紙幣は、搬送システム内のダイバータを介して同じ構成を有する第２のスタッカに供給される。この解決策においては、同じ構成を有する２台のスタッカを備えることが必要になり、スペースを必要とする。
【０００５】
紙幣の種類毎に１台のスタッカを要する解決策も特許文献２から知られている。この目的のために、スタッカには分離部材が設けられる。この分離部材は最初に、上述した具体例と同様に、１００枚の紙幣が積み重ねられるまでアイドル位置にある。その後、上記分離部材が、１００枚の紙幣とそれに続く紙幣との間に、続く紙幣を一時的に上記分離部材上に貯える態様で挿入される。その間に、紙幣積重ね束を取り除くことができる。この取除き後、一時的に貯えられた紙幣がスタッカ内に貯えられる。上記分離部材はそのアイドル位置に復帰する。
【０００６】
この解決策は、上記分離部材を加速するために、かなり大きな努力によってのみ達成される比較的高い作動パワーをより高い搬送速度とともに必要とする欠点がある。かかる高い搬送速度をもってしては、スタッカの信頼性の高い動作が保証できない。
【０００７】
特許文献３においては、一種類の紙幣の枚数が所定の数に達したことをセンサが検知したときに、搬送システムに対する紙幣の配送を中断することが提案されている。この時点では、すでに枚葉された同じ種類の紙幣が、すでに積み重ねられた紙幣積重ね束が取り除かれるまで一時的にスタッカ内に貯えられる。この一時的な貯蔵は、スタッカ自体に、あるいは搬送通路に組み込まれたバッファ通路で行なわれる。この解決策は、中断によって機械が非連続の態様で動作するという一般的な欠点を有する。
【０００８】
すでに枚葉された紙幣がスタッカ自体内に貯えられるという解決策においては、スタッカが、例えば特許文献４に記載されているようなスパイラルスロット・スタッカの形態を有する。しかしながら、スタッカーホイールの複数のスロット内に収容されている紙幣を剥ぎ取るためのストリッパが、スタッカーホイールに出入可能なように構成されている。可動のストリッパがスタッカーホイールから外方へ移動するときに１００枚目の紙幣を剥ぎ取るように、かつスタッカの次のスロット内にある紙幣はこのスロット内に残留するように、可動のストリッパがスタッカーホイールから外方へ移動するときに部品同士が干渉する。この間に、スタッカーホイールはなおも回転して、中断時点ですでに枚葉されている紙幣を収容する。紙幣集積棚が空になるや否や、次の紙幣積重ね束のための準備がなされ、ストリッパはスタッカーホイールに復帰する。次に積重ね動作が通常の態様で継続される。
【０００９】
この解決策の欠点は、ストリッパがスタッカーホイールに復帰することができるように、スタッカーホイールを停止させなければならないことである。スタッカーホイールの回転に伴って、ストリッパがその剥取り位置に到達する以前に、スロット内の紙幣にストリッパが衝突する危険があるからである。しかしながら、このことは、一種類の紙幣が所定の枚数に達するや否や、単に搬送システムが中断されなければならないのみでなく、ストリッパがスタッカーホイールに復帰するときにも再び中断される可能性があることを意味する。
【特許文献１】独国特許第３４ １２ ７２５号
【特許文献２】欧州特許第０ １１９ ８１４号
【特許文献３】独国特許出願公開第４４ ３７ ７２２ Ａ１号
【特許文献４】独国特許出願公開第３２ ３２ ３４８号
【発明の開示】
【発明が解決しようとする課題】
【００１０】
一種類の紙幣が所定の枚数に達したときに、搬送システムに対する紙幣の配送を中断させることを必ずしも必要としない、あるいは中断時間が短くて済むシート材料の積重ね方法および装置を提供することが本発明の課題である。
【課題を解決するための手段】
【００１１】
本発明は、上記シート材料が一時的にスタッカーホイール内に貯えられる特許文献３のスパイラルスロット・スタッカから出発している。すなわち、例えば１００枚目の紙幣が可動ストリッパを用いてスタッカーホイールから剥ぎ取られ、次のスロット内の紙幣はスタッカーホイール内に残留する。この点に関しては、構造的な解決提案が記載されている特許文献３を参照されたい。
【００１２】
ストリッパがスタッカーホイール内に移動するときにスタッカーホイール内の紙幣に衝突するのを防止するために、あるいはかかる衝突を回避するためにスタッカーホイールの停止を余儀なくさせられることを防止するために、ストリッパは少なくとも二つの部分で構成され、第１の部分のみが、特許文献３に記載された態様でスタッカーホイールから外方へ移動する。ストリッパの第１の部分がスタッカーホイールから外方へ移動するときに、ストリッパの第２の部分はその剥取り位置から解放される。このストリッパの第２の部分も可動である。しかしながら、この第２の部分はスタッカーホイールの外へ移動するのではなく、その剥取り位置から解放された後にスタッカーホイールとともに回転する。その間に、紙幣処理機の搬送システムに対する紙幣の配送が中断されない態様で、さらなる紙幣がスタッカーホイールに供給される。
【００１３】
いずれかを選択できる二つの実施の形態がある。
【００１４】
第１の実施の形態によれば、ストリッパの第２の部分は、紙幣集積棚が次の紙幣積重ね束を受け取る準備ができるまでスタッカーホイールとともに回転し、ストリッパの第２の部分が再びその剥取り位置に達する。次にこの第２の部分は再びその剥取り位置にロックされ、スタッカーホイールはさらに回転する。これによって、剥取り位置にロックされたストリッパの第２の部分により、そのロックの瞬間からスタッカーホイール内の紙幣がスタッカーホイールの外へ剥ぎ落とされて、集積棚上に積み重ねられる。ここでストリッパの第１の部分が、スタッカーホイールから出て行ったのと同じ経路でその剥取り位置に復帰する。スタッカーホイール内にあった紙幣はストリッパの第２の部分によって剥ぎ取られるので、これら紙幣との衝突は排除される。
【００１５】
しかしながら、この解決策においても、移動するストリッパの第２の部分によって札束の供給が遮られる場合には、スパイラルスロット・スタッカのために用意された１枚の紙幣がスタッカーホイールのスロットに導入され得ないことが稀にではあるが起こり得る。スタッカーホイールのいくつかのスロットのみがこの遮りの影響を受ける。この問題は、該当するスロットが紙幣供給位置を速やかに通過するようにスタッカーホイールの駆動速度を速めることによって容易に避けることができる。もしこれでも、スタッカーホイールに供給される紙幣と回転するストリッパの可動部分との衝突を避けることが不十分であれば、特許文献３における他の実施の形態で提案されたように、搬送通路にバッファー通路を組み込めばよい。その件に関しては、再度特許文献３を参照されたい。
【００１６】
第２の実施の形態によれば、スタッカーホイールとともに回転するストリッパの第２の部分は、スタッカーホイールの回転方向とは反対方向に回転して剥取り位置に復帰しロックされる。このことは、ストリッパの第２の部分が紙幣供給位置を通過せず、したがってスタッカーホイールに対するさらなる紙幣の供給が遮られないという利点を有する。しかしながら、ストリッパの第２の部分が復帰するときに紙幣がスロットから剥ぎ取られるとしても、それらが紙幣集積棚上に信頼性をもって積み重ねられるとは限らないので、この第２の実施の形態は、ストリッパの第２の部分が紙幣集積棚から遠くに離れ過ぎないときにのみ実行可能である。したがって、この実施の形態については、紙幣集積棚が、積み重ねられる次の紙幣積重ね束を受け取る準備をできるだけ速やかに行なうことが重要である。このことは、例えば、既に積み重ねられた紙幣積重ね束を横へ押しのけることによって、あるいは、好ましい実施の形態によれば、既に積み重ねられた紙幣積重ね束を乗せた紙幣集積棚の上方に補助的紙幣集積棚を移動させることによって達成できる。この補助的紙幣集積棚が位置決めされるや否や、ストリッパの移動する第２の部分がその剥取り位置に復帰することができ、スタッカーホイールのスロット内にある紙幣が補助的紙幣集積棚上に剥ぎ落される。次に、スタッカーホイールの外方へ移動していたストリッパの第１の部分が再びスタッカーホイール内に復帰する。次に紙幣積重ね動作が通常の態様で継続される。
【００１７】
上記補助的紙幣集積棚と紙幣集積棚とは、既に積み重ねられた紙幣積重ね束が紙幣集積棚上から取り除かれたときに、両者が同じ高さになることが可能なように櫛状に構成されていることが好ましい。
【発明を実施するための最良の形態】
【００１８】
次に添付図面を参照して本発明野実施の形態について説明する。
【００１９】
図１ａ〜図１ｄは、紙幣処理機の種々の動作時点におけるスパイラルスロット・スタッカを示す。ここでは詳細が示されていないこの紙幣処理機は、特許文献３に記載された搬送システム、ダイバータ、センサ等を備えた態様で構成されている。勿論、後述するスパイラルスロット・スタッカは、他の装置においてシート材料を積み重ねるにも適用可能である。
【００２０】
このスパイラルスロット・スタッカは、回転軸の周りで直列的かつ螺旋状に配置された複数のスロットを備えたスタッカーホイール１を備えている。このスタッカーホイールの回転方向は矢印によって示されている。スタッカーホイール１に紙幣９８〜１０４が次々と供給される。図１Ａは、紙幣１０４が正にスタッカーホイール１に供給される状態を示す。
【００２１】
このスパイラルスロット・スタッカにはストリッパ２が常時係合している。この目的のために、紙幣を受け入れるスロットは、互いに間隔を空けて並列に配置された複数のスタッカーホイール・フィンガ３によって形成され、これらフィンガ３間に、適切に並列に配置された複数のストリッピング・フィンガを備えたストリッパ２が係入するように構成されている。図１Ａには、このスパイラルスロット・スタッカが、単に一つのストリッピング・フィンガと一つのスタッカーホイール・フィンガ面のみが示された態様で概略的に示されている。
【００２２】
スタッカーホイール１の回転と、このスタッカーホイール１に係合しているストリッパ２とによって、スタッカーホイール１内にある複数の紙幣がストリッパ２に向かって搬送され、次いでストリッパ２が、スタッカーホイール１の複数のスロットからこれらの紙幣をその下方にある集積棚４上に剥ぎ落とす。この手段によって、集積棚４上には紙幣積重ね束５が形成され、その時点で図１Ａに示されているように、９８枚目の紙幣９８が集積棚４に供給される。
【００２３】
紙幣積重ね束５の紙幣が所望の枚数に達すると、積重ね動作が中断されて、次の紙幣積重ね束の集積が開始される以前に、紙幣積重ね束５を集積棚４から取り出すことができるように、積重ね動作が中断される。この取出しのために、特許文献３に記載されているように、１００枚目の紙幣が、スタッカーホイール１から図１Ｂに示すように紙幣積重ね束５上へ剥ぎ落とされる最後の紙幣となるような特定の態様でストリッパ２が外方へ移動する。
【００２４】
しかしながら、特許文献３とは対照的に、ストリッパ２の一部分２ａのみはほぼ矢示の方向に外方へ移動するが、ストリッパ２の第２の部分２ｂは、回転するスタッカーホイール１とともに移動する。この目的のために、ストリッパ２の各ストリッピング・フィンガが二つの部分２ａ，２ｂに分割される。あるいは、すべての第２のストリッピング・フィンガが、スタッカーホイール１とともに移動するストリッピング・フィンガ２ｂとして構成され、残りのストリッピング・フィンガが外方へ移動するのに適したストリッピング・フィンガ２ａであってもよい。
【００２５】
適当な手段によるストリッパ部分２ａの移動は、所望の目的が達せられるように、すなわち、特定の紙幣が最後の紙幣として剥ぎ落とされ、かつ次の紙幣はスタッカーホイール１内に残留するように、スタッカーホイール１の回転に関連付けられる。この目的のために、特許文献３に記載されているように、ストリッパ部分２ａは、電子的に制御される独立した駆動手段またはカムディスクに機械的に連結されるように構成されている。
【００２６】
ストリッパ２の第２の部分２ｂを図１Ａに示されているような剥取り位置に固定するための図示しないロックは、ストリッパ２の第１の部分２ａが外方へ移動するときに解放される。ストリッパ２の第２の部分２ｂがスタッカーホイール１とともに回転するという結果を得るために、独立した駆動手段を設けることができる。しかしながら、ストリッパ２の第２の部分２ｂがロックから解放される移動がスタッカーホイール１に連結されている場合には、独立した駆動手段を設ける努力は回避される。この目的のために、ストリッパは、図示しない結合部材を介してスタッカーホイール１の駆動軸に連結され、かつ解放機構を用いて剥取り位置に係止され、または１００枚目の紙幣を剥ぎ落した後に、解放機構を通じて解放されて、スタッカーホイール１と同期して回転する。機械的な解放機構に代えて、電気的に作動されるのに適した磁気的結合部材を備えることもできる。
【００２７】
図１Ｃは、１００枚目の紙幣が紙幣積重ね束５上に剥ぎ落された後のスタッカーホイール１を、ストリッパ２の回転部分２ｂとスタッカーホイール１の外方へ完全に移動したストリッパ２の第１の部分２ａとともに示す。その間に、１０６番目の紙幣１０６がスタッカーホイール１に搬送される。
【００２８】
ここで、次の紙幣積重ね束を受け取るべく紙幣集積棚４を準備するために、紙幣積重ね束５が集積棚４から除かれる。次の紙幣積重ね束を収容すべく紙幣集積棚４の準備ができた後に、スタッカーホイール１は、ストリッパ２の第２の部分２ｂが、図１Ａに示す剥取り位置に復帰するまで再び回転する。これは図１Ｄに示されている。その間に、さらなる紙幣１０７〜１１２がスタッカーホイール１に供給されているので、ストリッパ２の第２の部分２ｂが剥取り位置に復帰した時点では、スタッカーホイール１の個々のスロットには、２枚または場合によってはそれ以上の紙幣が入っている。次に、ストリッパ２の第２の部分２ｂが再びロックされて、スタッカーホイールのスロット内の紙幣がストリッパ２の第２の部分２ｂによって通常の態様で紙幣集積棚４上に剥ぎ落とされる。次にストリッパ２の第１の部分２ａも剥取り位置に復帰することができる。スタッカーホイール内にある紙幣に衝突することは不可能である。というのは、その間にこれら紙幣がストリッパ２の第２の部分２ｂによって剥ぎ落されているからである。この理由で、ストリッパ２の第１の部分２ａが剥取り位置に復帰するときに、特にスタッカーホイール１を停止させる必要がなくなるのである。
【００２９】
図２Ａおよび図２Ｂには、原理的には図１Ａ〜図１Ｄに関して上述した実施の形態と同様の動作をするスパイラルスロット・スタッカの第２の実施の形態が示されている。図２Ａは、スタッカーホイール１の図１Ｃと同様の動作時点を示す。処理経過に関する限り同一である。図１Ａ〜１Ｄによる実施の形態とは異なり、スパイラルスロット・スタッカが次のシート積重ね束を積み重ねる準備をより速やかに行なうために、１００枚目の紙幣１００が剥ぎ落されことによって紙幣積重ね束５が完成した後、補助的集積棚６がスタッカーホイール１と紙幣積重ね束５との間に導入される。この方法によって、スタッカーホイール１の１回転後には、早くもストリッパ２の回転する第２の部分２ｂが剥取り位置にロックされることが可能になる。
【００３０】
集積棚４と補助的集積棚６とは櫛歯型に構成されていることが好ましい。最初に、集積棚４が紙幣積重ね束５とともに下降せしめられ、それらの上に補助的集積棚６を位置決めすることができる。紙幣積重ね束５が集積棚４から取り除かれた後、紙幣１０１，１０９，１０２，１１０等をその上に一時的に貯えた補助的集積棚６の高さまで集積棚４が上昇して、二つの集積棚４，６の歯が櫛状に係合して共通の棚面を形成する。スタッカーホイール１から外方へ移動するストリッパ２の第１の部分２ａに補助的集積棚６が衝突するのを防止するために、補助的集積棚６の導入は、例えばスタッカーホイール１の回転軸と平行な方向に行なわれる。
【００３１】
図１Ａ〜１Ｄおよび図２Ａ，２Ｂから認識されるように、スタッカーホイール１の個々のスロットに対するさらなる紙幣の供給は、スタッカーホイール１とともに回転するストリッパ２の第２の部分２ｂによって一時的に遮られる。もしこれらのスロットが、スタッカーホイール１に次の紙幣が供給される以前に、紙幣供給位置を通り過ぎることが不可能であれば、この次の紙幣は、例えば搬送通路に組み込まれたバッファー通路に一時的に貯えられなければならない。スパイラルスロット・スタッカが図３Ａ，３Ｂに示されているように構成すれば、かかるバッファー通路を設ける技術的努力を回避することができる。紙幣積重ね束５が集積棚４から取り除かれる以前であっても次の紙幣積重ね束５の積重ねを開始することができる補助的集積棚６がここでも利用されている。
【００３２】
図３Ａは、図２Ａにおけるのと同じ位置にあるスパイラルスロット・スタッカを示す。しかしながら、これまで説明した実施の形態とは対照的に、ストリッパ２の第２の部分２ｂは、単に１００番目の紙幣が集積棚４上に剥ぎ落されるまでの間だけスタッカーホイール１とともに回転する。次に集積棚４が下降せしめられ、補助的集積棚６がこの下降せしめられた集積棚４の上方に位置決めされ、ストリッパ２の第２の部分２ｂがスタッカーホイールの回転方向とは反対方向に回転して剥取り位置に復帰する。図３Ｂは、剥取り位置に復帰したストリッパ２の第２の部分２ｂと、一時的に導入された補助的集積棚６とを伴ったスタッカーホイール１を示す。次の紙幣積重ね束のための最初の紙幣１０１の剥落しは、ストリッパ２の第２の部分２ｂの剥取り位置への復帰とともに開始され、かつ凡そ補助的集積棚６が次の紙幣積重ね束を積み重ねる位置に到達した時点で終了される。
【００３３】
ここで、スタッカーホイール１内の紙幣に衝突する危険性のなくなったトリッパ２の第１の部分２ａがスタッカーホイール１内に移動する。紙幣積重ね束５が集積棚４から取り除かれた後に、集積棚４が前述した態様で補助的集積棚６の高さまで上昇せしめられ、この補助的集積棚６は、集積棚４との櫛状係合から外れて移動することができる。
【図面の簡単な説明】
【００３４】
【図１】図１Ａ〜１Ｄは本発明の第１の実施の形態を示す。
【図２】図２Ａ，２Ｂは本発明の第２の実施の形態を示す。
【図３】図３Ａ，３Ｂは本発明の第３の実施の形態を示す。
【符号の説明】
【００３５】
１    スタッカーホイール
２    ストリッパ
２ａ    ストリッパの第１の可動部分
２ｂ    ストリッパの第２の可動部分
３    スタッカーホイール・フィンガ
４    紙幣集積棚
５    紙幣積重ね束
６    補助的紙幣集積棚
９８〜１１３    紙幣
2005535027.tif 000003
2005535027.tif 000004
2005535027.tif 000005
【国際調査報告】
2005535027.tif 000006
2005535027.tif 000007
2005535027.tif 000008
2005535027.tif 000009